(57)【要約】【課題】  監視カメラシステムの規模が大きくなり、同一の監視カメラシステムに含まれる監視カメラが様々な場所に設置されている。設置場所の環境も様々であるにも関わらず、各監視カメラへの調整内容が同一であるため、調整不足により撮影した映像が確認し難くなるとの課題がある。【解決手段】  監視カメラシステムは、複数の監視カメラと、監視カメラが撮影した映像を記録するレコーダとを備え、レコーダは、監視カメラより受信した映像に応じて各監視カメラの個別設定値を決定し、監視カメラへ送信する。【選択図】  図４
2018121163.tif 000002
【特許請求の範囲】
【請求項１】
複数の監視カメラと、
前記監視カメラが撮影した映像を記録するレコーダとを備え、
前記レコーダは、前記監視カメラより受信した映像に応じて各前記監視カメラの個別設定値を決定し、前記監視カメラへ送信する
監視カメラシステム。
【請求項２】
環境センサを有する複数の監視カメラと、
前記監視カメラが撮影した映像を記録するレコーダとを備え、
前記レコーダは、前記監視カメラが前記環境センサで測定した環境値に応じて各前記監視カメラの個別設定値を決定し、前記監視カメラへ送信する
監視カメラシステム。
【請求項３】
前記レコーダは、前記複数の監視カメラ共通の初期設定値を決定し、前記監視カメラへ送信すること
を特徴とする請求項１または請求項２に記載の監視カメラシステム。
【請求項４】
前記個別設定値がレート設定値であること
を特徴とする請求項１または請求項３に記載の監視カメラシステム。
【請求項５】
前記個別設定値が輝度に関する設定値であること
を特徴とする請求項１ないし請求項４のいずれか１項に記載の監視カメラシステム。
【発明の詳細な説明】
【技術分野】
【０００１】
本発明は、監視カメラの調整が可能な監視カメラシステムに関するものである。
【背景技術】
【０００２】
複数のカメラを含む監視カメラシステムにて、１つのカメラへの調整内容をパスワード化し、そのパスワード用いて、その他のカメラの調整を実施する技術が開示されている（例えば、特許文献１を参照）。
【先行技術文献】
【特許文献】
【０００３】
【特許文献１】特開２００６−２０３４０１号公報
【発明の概要】
【発明が解決しようとする課題】
【０００４】
特許文献１の技術を用いると、監視カメラシステムに含まれる複数のカメラの調整内容は同一となる。近年、監視カメラシステムの規模が大きくなり、同一の監視カメラシステムに含まれる監視カメラは様々な場所に設置される。設置場所の環境は様々であるにも関わらず、各監視カメラへの調整内容が同一であるため、調整不足により撮影した映像が確認し難くなるとの課題がある。本発明は上記のような課題を解消するためになされたものである。
【課題を解決するための手段】
【０００５】
この発明は上述のような課題を解消するためになされたもので、本発明によれば、監視カメラシステムは、複数の監視カメラと、監視カメラが撮影した映像を記録するレコーダとを備え、レコーダは、監視カメラより受信した映像に応じて各監視カメラの個別設定値を決定し、監視カメラへ送信する。
【発明の効果】
【０００６】
この発明によれば、各監視カメラに応じて設定値を決定することができる。これにより、監視カメラに応じた調整が可能となり、調整不足による映像が確認し難くなるとの課題を解決することが出来る。
【図面の簡単な説明】
【０００７】
【図１】この発明の実施の形態１による監視カメラを含む監視カメラシステム全体の構成図である。
【図２】この発明の実施の形態１による監視カメラの機能構成図である。
【図３】この発明の実施の形態１による監視カメラのハードウェア構成図である。
【図４】この発明の実施の形態１によるレコーダ１０３の機能構成図である。
【図５】この発明の実施の形態１によるレコーダのハードウェア構成図である。
【図６】この発明の実施の形態１による設定値の具体例である。
【図７】この発明の実施の形態１によるシーケンス図である。
【図８】この発明の実施の形態２による監視カメラの機能構成図である。
【図９】この発明の実施の形態２によるレコーダの機能構成図である。
【図１０】この発明の実施の形態２による設定値の具体例である。
【図１１】この発明の実施の形態１によるシーケンス図である。
【発明を実施するための形態】
【０００８】
実施の形態１．
以下、この発明の実施の形態を図に基づいて説明する。
図１は、この発明の実施の形態１による監視カメラを含む監視カメラシステム全体の構成図である。図１において、監視カメラ１０１、監視用ＰＣ１０２及びレコーダ１０３はそれぞれ、ネットワーク１０４に接続されている。そして、監視カメラ１０１により対象領域を撮影することで得られた映像は、監視用ＰＣ１０２により監視され、レコーダ１０３に記録され、モニタ１０５に表示される。映像は、画像でもよい。また、監視用ＰＣ１０２とレコーダ１０３、レコーダ１０３とモニタ１０５、監視用ＰＣ１０２とレコーダ１０３とモニタ１０５は一体の装置であってもよい。監視カメラ１０１は、監視カメラ１０１−１から、監視カメラ１０１−Ｎまで接続されている例について示している。
【０００９】
図２は、この発明の実施の形態１による監視カメラの機能構成図である。
図において、監視カメラ１０１は、レンズ２０１に光の入り具合を調整する絞り２０２（アイリスとも称される）を有する。レンズ２０１を介して入射された光は撮像素子２０３（イメージセンサ、ＣＣＤ：Ｃｈａｒｇｅ−Ｃｏｕｐｌｅｄ  Ｄｅｖｉｃｅとも称される）で電気信号である映像信号に変換される。アンプ２０４は、映像信号を増幅し、映像処理部２０５へ出力する。映像処理部２０５は、色補正処理部２０６を有する。色補正処理部２０６は、例えば色合い調整処理等を実施する。また映像処理部２０５は、例えば画質調整処理、歪み補正処理、拡大縮小処理、超解像処理、画像補正処理等の映像処理を実施し、映像処理後の映像信号を符号化部２０７へ出力する。符号化部２０７は、暗号化処理、圧縮処理等の符号化処理を実施し、符号化処理後の映像信号を映像信号送信部２０８へ出力する。符号化処理後の映像信号は、映像信号送信部２０８よりネットワーク１０４経由にて、監視用ＰＣ１０２へ送信され表示される。また、符号化処理後の映像信号は、映像送信部２０８よりネットワーク１０４経由にて、レコーダ１０３へ送信され、記録される。
【００１０】
また、設定値受信部２０９は、ネットワーク１０４経由にて、レコーダ１０３から設定値を受信し、制御部２１０へ出力する。設定値には、例えば監視カメラシステムに含まれる全監視カメラ（例えば図１では監視カメラ１０１−１から監視カメラ１０１−Ｎ）に対して共通の値である初期設定値と、各監視カメラの設置環境に応じた個別設定値とがある。初期設定値は、例えば、監視カメラを設置した直後の監視カメラ１０１とレコーダ１０３間の導通のために必要な設定である。設定値の具体例としては、輝度に関する設定値（輝度設定値、色補正設定値）、レート設定値などがある。
【００１１】
制御部２１０は、設定値制御部２１１を有する。設定値制御部２１１は、輝度設定値制御部２１２、色補正設定値制御部２１３、レート設定値制御部２１４を有する。輝度設定値制御部２１２は、設定値受信部２０９から受信した輝度設定値に基づいて、レンズ２０１、絞り２０２、撮像素子２０３、アンプ２０１などを制御する。輝度設定値の具体例、各部の制御内容についての詳細は後述する。色補正設定値制御部２１３は、設定値受信部２０９から受信した色補正設定値に基づいて、色補正処理部２０６を制御する。色補正設定値の具体例、制御内容についての詳細は後述する。レート設定値制御部２１４は、設定値受信部２０９から受信したレート設定値に基づいて、符号化部２０７を制御する。レート設定値の具体例、制御内容についての詳細は後述する。
【００１２】
また、監視カメラ１０１は、環境センサ２１５を有し、環境センサ２１５にて測定された環境値は、環境値送信部２１６へ出力される。環境値送信部２１６は、環境値をネットワーク１０４経由にてレコーダ１０３へ送信する。送信されるタイミングとしては、予め決められた周期にて送付、環境値に変化が発生した場合などがある。環境センサ２１５の具体例としては、輝度センサなどがある。
【００１３】
図３は、この発明の実施の形態１による監視カメラのハードウェア構成図である。
監視カメラ１０１は、レンズ３０１、撮像素子３０２、ＣＰＵ（Ｃｅｎｔｒａｌ  Ｐｒｏｃｅｓｓｉｎｇ  Ｕｎｉｔ）３０３、送信装置３０４、受信装置３０５、輝度センサ３０６などによりハードウェア的に実現される。ＣＰＵは、中央処理装置、処理装置、演算装置、マイクロプロセッサ、マイクロコンピュータ、プロセッサ、ＤＳＰともいう。なお、監視カメラ１０１のハードウェア構成は、図３の構成に限らない。
【００１４】
監視カメラ１０１の各機能構成と各ハードウェアとの対応関係の１例を示す。レンズ２０１、絞り２０２はレンズ３０１によって構成される。撮像素子２０３は撮像素子３０２によって構成される。アンプ２０４、映像処理部２０５、色補正処理部２０６、符号化部２０７、制御部２１０、設定値制御部２１１、輝度設定値制御部２１２、色補正設定値制御部２１３、レート設定値制御部２１４はＣＰＵ３０３によって構成される。映像信号送信部２０８、環境値送信部２１６は送信装置３０４によって構成される。設定値受信部２０９は受信装置３０５によって構成される。環境センサ２１５は輝度センサ３０６によって構成される。
【００１５】
図４は、この発明の実施の形態１によるレコーダ１０３の機能構成図である。
図において、レコーダ１０３は、映像信号受信部４０１は、ネットワーク１０４を介してカメラ１０１から符号化処理後の映像信号を受信し、復号化部４０２へ出力する。復号化部４０２は、符号化処理後の映像信号に復号化処理を実施し、映像処理部４０３へ出力する。映像処理部４０３は、例えば、超解像処理などの画像をより良く見せるための画像補正処理を実施し、映像信号をメモリ４０４、出力部４０５へ出力する。メモリ４０４は、受信した映像信号を記録する。出力部４０５は、受信した映像信号を外部装置（図示省略）、あるいはネットワーク１０４へ出力する。
【００１６】
設定値決定部４０６は、初期設定値決定部４０７、個別設定値決定部４０８を有する。設定値決定部４０６は、監視カメラシステムに含まれる監視カメラに対する設定値を決定する。設定値の具体例としては、輝度設定値、色補正設定値、レート設定値などがある。
初期設定値決定部４０７は、監視カメラ１０１が設置された際の初期の設定値を決定する、あるいは予め決められていても良い。例えば、初期設定値決定部４０７は、監視カメラ１０１の処理負荷が最も軽くなるよう輝度設定値、色補正設定値を決定する。処理負荷が最も軽くなる設定値とすることで、監視カメラ１０１の立ち上げ時の処理負荷が軽減され監視カメラ１０１の立ち上げがスムーズに実施できるとの効果がある。また例えば、初期設定値決定部４０７は、十分低いレート設定値、最も低いレート設定値を決定する。十分低いレート設定値、最も低いレート設定値とすることで、監視カメラシステムに含まれる監視カメラ１０１の数、ネットワーク１０４の負荷状況が不明であっても設置された監視カメラ１０１とレコーダ１０３間の導通、あるいはレコーダ１０３が監視カメラ１０１から映像信号を受信可能となる確率を上げることができる。
個別設定値決定部４０８は、各監視カメラ１０１の設置環境に応じた設定値を決定する。個別設定値決定部４０８は、各監視カメラ１０１の設置環境に応じた輝度設定値、色補正設定値を、環境値受信部４０９にて受信した各監視カメラ１０１の環境値に基づいて決定する。あるいは、個別設定値決定部４０８は、輝度設定値、色補正設定値を映像処理部４０３から受信する復号化処理後の映像信号に基づいて決定する。映像処理部４０３から映像信号を受信するタイミングとしては、カメラ１０１とレコーダ１０３間の導通後初めに受信した映像信号、あるいは導通後予め決められた時間経過後に受信した映像信号、あるいは入力部４１０より個別設定値決定指示の入力があった場合などである。
設定値決定部４０６で決定された設定値は、設定値送信部４１１へ出力され、ネットワーク１０４経由にて監視カメラ１０１へ送信される。
【００１７】
図５は、この発明の実施の形態１によるレコーダのハードウェア構成図である。
レコーダ１０３は、受信装置５０１、ＣＰＵ５０２、メモリ５０３、送信装置５０４、入力装置５０５などによりハードウェア的に実現される。ＣＰＵは、中央処理装置、処理装置、演算装置、マイクロプロセッサ、マイクロコンピュータ、プロセッサ、ＤＳＰともいう。メモリは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。入力装置５０５の具体例としては、マウス、キーボード、マイク、リモートコントローラなどがある。なお、レコーダ１０３のハードウェア構成は、図５の構成に限らない。
【００１８】
レコーダ１０３の各機能構成と各ハードウェアとの対応関係の１例を示す。映像信号受信部４０１、環境値受信部４０９は受信装置５０１で構成される。復号化部４０２、映像処理部４０３、設定値決定部４０６、初期設定値決定部４０７、個別設定値決定部４０８はＣＰＵ５０２で構成される。メモリ４０４は、メモリ５０３で構成される。出力部４０５、設定値送信部４１１は、送信装置５０４で構成される。入力部４１０は、入力装置５０５で構成される。
【００１９】
次にレコーダ１０３の設定値決定部４０６が決定する設定値の具体例について図６を用いて説明する。図６は、この発明の実施の形態１による設定値の具体例である。    
例えば大項目６０１、中項目６０２、設定値６０３とする。大項目６０１の輝度設定値６０４には、中項目６０２の絞り制御、ＡＧＣ（Ａｕｔｏｍａｔｉｃ  Ｇａｉｎ  Ｃｏｎｔｒｏｌ）制御、電子増倍制御が含まれる。大項目６０１の色補正設定値６０５とレート設定値６０６には、中項目は含まれないとする。絞り制御では、設定値６０３に監視カメラ１０１の絞り２０２を輝度設定値制御部２１２経由で制御する絞り値、シャッタースピードが含まれる。ＡＧＣ制御では、設定値６０３に監視カメラ１０１のアンプ２０４を輝度設定値制御部２１２経由で制御するゲイン値が含まれる。電子増倍制御では、設定値６０３に監視カメラ１０１の撮像素子２０４を輝度設定値制御部２１２経由で制御する電子増倍値が含まれる。色補正設定値では、設定値６０３に監視カメラ１０１の色補正処理部２０６を色補正設定値制御部２１３経由で制御するホワイトバランス制御ＯＮ／ＯＦＦ情報が含まれる。レート設定値は、設定値６０３に監視カメラ１０１の符号化部２０７をレート設定値制御部２１４経由で制御するレート値が含まれる。大項目、中項目、設定値はあくまで例であり、この限りではなく、また全てが揃っている必要もなく一部であっても良い。
【００２０】
図６（Ａ）は、この発明の実施の形態１による初期設定値の具体例である。例えば、監視カメラ１０１の処理負荷が最も軽くなるよう輝度設定値、色補正設定値とし、最も低いレート設定値とする。図６（Ａ）では、絞り値「Ａ」、シャッタースピード「Ａ」、ゲイン値「０（ゼロ）」、電子増倍値「０（ゼロ）」、ホワイトバランス制御ＯＮ／ＯＦＦ情報「ＯＦＦ」、レート値「Ａ（設定可能な最小値）」とする。
【００２１】
図６（Ｂ）は、この発明の実施の形態１による個別設定値の具体例である。カメラ識別情報６０７にて各監視カメラの設定を識別し、例えば図１では監視カメラ１０１−１から監視カメラ１０１−Ｎ毎の設定を決定する。例えば、監視カメラ１０１−１のカメラ識別情報をカメラ１とし、監視カメラ１０１−２のカメラ識別情報をカメラ２とし、監視カメラ１０１−Ｎのカメラ識別情報をカメラＮとする。例えば、監視カメラ１０１−１が監視カメラ１０１−２より暗い場所（輝度が低い場所）に設定された場合を考える。輝度設定値は監視カメラ１０１−１の設定値が、監視カメラ１０１−２の設定値と比較して輝度を高めるような値に設定する。
例えば、絞り値にて監視カメラ１０１の絞り２０２を開閉し、レンズ２０１から入射する光の量を調整する。つまり、監視カメラ１０１−１の絞り値を、監視カメラ１０１−２「Ａ」の絞り値と比較して光が入射しやすいように、絞り２０２がより開く値「Ｂ」とする。
例えば、シャッタースピードにて監視カメラ１０１の絞り２０２を開閉し、レンズ２０１から入射する光の量を調整する。つまり、監視カメラ１０１−１のシャッタースピードを、監視カメラ１０１−２「Ａ」のシャッタースピードと比較して光が入射しやすいように、絞り２０２が開く時間が長くなるように、シャッタースピードが遅くなる値「Ｂ」とする。
例えば、ゲイン値にて監視カメラ１０１のアンプ２０４でのゲイン値（増幅値）を制御する。つまり、監視カメラ１０１−１のゲイン値を監視カメラ１０１−２のゲイン値「０」と比較して大きくなるよう「５」とする。
例えば、電子増倍値にて監視カメラ１０１の撮像素子２０３で実施される電子増倍での増幅値を制御する。つまり、監視カメラ１０１−１の電子増倍での増幅値を監視カメラ１０１−２の電子増倍での増幅値「０」と比較して大きくなるよう「３」とする。
例えば、色補正設定値は監視カメラ１０１−１の設定値が映像処理にて色補正処理を実施するよう「ＯＮ」を設定する。
【００２２】
次に動作について説明する。図７は、この発明の実施の形態１によるシーケンス図である。
ステップＳＴ７０１にて、監視カメラシステムに監視カメラ１０１を設置する。図７では、例えば監視カメラシステムに監視カメラ１０１−１、監視カメラ１０１−２、レコーダ１０３を含み構成されている場合について説明する。
ステップＳＴ７０２にて、レコーダ１０３の初期設定値決定部４０７は、初期設定値を決定する。
ステップＳＴ７０３にて、レコーダ１０３の設定値送信部４１１は、初期設定値決定部４０７にて決定された初期設定値をネットワーク１０４経由にて監視カメラ１０１−１、監視カメラ１０１−２へ送信する。
ステップＳＴ７０４−１にて、監視カメラ１０１−１の設定値受信部２０９は、初期設定値を受信する。ステップＳＴ７０４−２も同様である。
ステップＳＴ７０５−１にて、監視カメラ１０１−１の設定値制御部２１１は、初期設定値に基づいて各部を制御する。ステップＳＴ７０５−２も同様である。
ステップＳＴ７０６にて、監視カメラ１０１−１とレコーダ１０３、監視カメラ１０１−２とレコーダ１０３の導通が確立される。
ステップＳＴ７０７にて、レコーダ１０３が監視カメラ１０１と導通が確立されたか否か判断する。確立されたと判断した場合、ステップＳＴ７０９へ移行する。確立されたと判断しない場合、ステップＳＴ７０７の判断を繰り返す。
【００２３】
ステップＳＴ７０８−１にて、監視カメラ１０１−１の映像信号送信部２０８が映像信号の送信を開始する。ステップＳＴ７０８−２も同様である。
ステップＳＴ７０９にて、レコーダ１０３の映像信号受信部４０１が監視カメラ１０１から映像信号を受信したか否か判断する。受信したと判断した場合、ステップＳＴ７１２へ移行する。受信したと判断しない場合、ステップＳＴ７０９の判断を繰り返す。
ステップＳＴ７１０−１にて、監視カメラ１０１−１の環境センサ２１５が環境値の測定を開始する。ステップＳＴ７１０−２も同様である。
ステップＳＴ７１１−１にて、監視カメラ１０１−１の環境値送信部２１６が環境値の送信を開始する。ステップＳＴ７１１−２も同様である。
ステップＳＴ７１２にて、レコーダ１０３の環境値受信部４０９が監視カメラ１０１から環境値を受信したか否か判断する。受信したと判断した場合、ステップＳＴ７１３へ移行する。受信したと判断しない場合、ステップＳＴ７１２の判断を繰り返す。
【００２４】
ステップＳＴ７１３にて、レコーダ１０３の個別設定値決定部４０８は、個別設定値を決定する。個別設定値決定部４０８は、ステップＳＴ７０９で受信した映像信号と、ステップＳＴ７１２にて受信した環境値とに基づいて個別設定値を決定する。個別設定値決定部４０８は、映像信号、環境値のいずれか一方に基づいて個別設定値を決定してもよい。
ステップＳＴ７１４にて、レコーダ１０３の設定値送信部４１１は、個別設定値決定部４０８にて決定された個別設定値をネットワーク１０４経由にて監視カメラ１０１−１、監視カメラ１０１−２へ送信する。
ステップＳＴ７１５−１にて、監視カメラ１０１−１の設定値受信部２０９は、個別設定値を受信する。ステップＳＴ７１５−２も同様である。
ステップＳＴ７１６−１にて、監視カメラ１０１−１の設定値制御部２１１は、個別設定値に基づいて各部を制御する。ステップＳＴ７１６−２も同様である。
【００２５】
本実施の形態１では、レコーダ１０３が設定値を決定する場合について説明したが、監視用ＰＣ１０２が決定してもよいし、レコーダ１０３と監視用ＰＣ１０２が共同で決定しても良い。
【００２６】
以上説明したように、本実施の形態１によれば、設置場所の環境に応じて監視カメラの調整内容を決定することができる。これにより、監視カメラの設置環境に応じた調整が可能となり、調整不足による映像が確認し難くなるとの課題を解決することが出来る。
また、監視カメラの設置直後は、監視カメラ共通の初期設定を実施することで、スムーズな導通確立を実現することが可能との効果を得ることができる。
【００２７】
実施の形態２．
この発明の実施の形態２による監視カメラを含む監視カメラシステム全体の構成図は、実施の形態１と同様であるので、説明を省略する。
図８は、この発明の実施の形態２による監視カメラの機能構成図である。図８において図２と同一の符号は、同一または相当するものであるので、説明は省略する。
【００２８】
図９は、この発明の実施の形態２によるレコーダの機能構成図である。図９において図４と同一の符号は、同一または相当するものであるので、説明は省略する。
個別設定値決定部９０１は、各監視カメラ１０１の設置環境に応じた設定値を決定する。個別設定値決定部９０１は、各監視カメラ１０１とレコーダ１０３間の通信路環境に応じたレート設定値を、映像処理部４０３、あるいは復号化部４０２から受信する復号化処理後の映像信号の誤り率（パケットロス）に基づいて決定する。映像処理部４０３から映像信号を受信するタイミングとしては、カメラ１０１とレコーダ１０３間の導通後初めに受信した映像信号、あるいは導通後予め決められた時間経過後に受信した映像信号、あるいは周期的、あるいは入力部４１０より個別設定値決定指示の入力があった場合などである。
【００２９】
図１０は、この発明の実施の形態２による初期設定値の具体例である。図１０において図４と同一の符号は、同一または相当するものであるので、説明は省略する。
図１０（Ａ）の、この発明の実施の形態２による初期設定値の具体例は、実施の形態１と同様であるので、説明は省略する。
図１０（Ｂ）は、この発明の実施の形態２による個別設定値の具体例である。例えば、監視カメラ１０１−１が監視カメラ１０１−２よりレコーダ１０３との間の通信路環境が良い場所に設置された場合を考える。レート設定値は監視カメラ１０１−１の設定値が、監視カメラ１０１−２の設定値と比較してレートが高くなるような値に設定する。
例えば、レート設定値にて監視カメラ１０１の符号化部２０７を制御し、映像信号送信部２０８から送信される映像信号のレート値を調整する。つまり、監視カメラ１０１−１のレート設定値を、監視カメラ１０１−２「Ａ」のレート値と比較してレート値が高くなるような値「Ｂ」とする。これにより、レコーダ１０３は、通信路環境が良い場所に設置された監視カメラからの映像を高画質で受信することが可能となる。
【００３０】
次に動作について説明する。図１１は、この発明の実施の形態１によるシーケンス図である。図１１において図７と同一の符号は、同一または相当するものであるので、説明は省略する。
ステップＳＴ１１０１にて、レコーダ１０３の個別設定値決定部９０１は、個別設定値を決定する。個別設定値決定部９０１は、ステップＳＴ７０９で受信した映像信号に基づいて個別設定値を決定する。
【００３１】
以上説明したように、本実施の形態２によれば、設置場所の環境に応じて監視カメラの調整内容を決定することができる。これにより、監視カメラの設置環境に応じた調整が可能となり、調整不足による映像が確認し難くなるとの課題を解決することが出来る。
また、監視カメラの設定直後は、監視カメラ共通の初期設定を実施することで、スムーズな導通確立を実現することが可能との効果を得ることができる。
【００３２】
なお、実施の形態１と実施の形態２とは、組合わせて用いることができる。
【符号の説明】
【００３３】
１０１  監視カメラ、１０３  レコーダ、２１５  環境センサ。
【図１】
2018121163.tif 000003
【図２】
2018121163.tif 000004
【図３】
2018121163.tif 000005
【図４】
2018121163.tif 000006
【図５】
2018121163.tif 000007
【図６】
2018121163.tif 000008
【図７】
2018121163.tif 000009
【図８】
2018121163.tif 000010
【図９】
2018121163.tif 000011
【図１０】
2018121163.tif 000012
【図１１】
2018121163.tif 000013